(57)【要約】【課題】誘導加熱用コイルへ伝わる熱を抑制するとともに、誘導加熱用コイル自体の発熱を抑制することにより、加熱効率を向上させる。【解決手段】成形材料が封入され、かつ該成形材料を所望の形状に成形するための形状加工が施されている成形用上型２ａと成形用下型２ｂにおける被加熱体１０ａ，１０ｂの表面および／または内面に、誘導加熱しやすい磁性材料を設け、前記成形用上型２ａと前記成形用下型２ｂとの外側に、誘導加熱を生起するための上型用の誘導コイル１ａと下型用の誘導コイル１ｂのコイル導線８を、それぞれ独立して巻回する。【選択図】図１
2006008479.tif 000002
【特許請求の範囲】
【請求項１】
上下独立した成形型をそれぞれ誘導加熱し、型内に挿入された材料を溶融することで成形する誘導加熱式成形装置において、磁性材料を表面および／または内面に設けた成形用上型と、磁性材料を表面および／または内面に設けた成形用下型とを同時にあるいは独立して誘導加熱を行うため、前記成形用上型と前記成形用下型とに、それぞれ個別に誘導加熱用コイルを設け、さらに前記成形用上型および前記成形用下型と、前記誘導加熱用コイルの最内周との間に冷却用の流水路を設けたことを特徴とする誘導加熱式成形装置。
【請求項２】
前記流水路として耐熱性に優れた樹脂チューブを用い、該樹脂チューブを前記誘導加熱用コイルの最内周に密に巻いてなることを特徴とする請求項１記載の誘導加熱式成形装置。
【請求項３】
前記誘導加熱用コイル間に冷却用の流水路を設けたことを特徴とする請求項１記載の誘導加熱式成形装置。
【請求項４】
前記誘導加熱用コイル間に設けられた流水路として耐熱性かつ磁気絶縁性に優れた樹脂チューブを用い、前記誘導加熱用コイルの最内周から前記樹脂チューブ、その次に前記誘導加熱用コイルの順に順次配設したことを特徴とする請求項３記載の誘導加熱式成形装置。
【請求項５】
前記誘導加熱用コイルを被覆するチューブをシームレスにし、前記流水路を前記成形用上型と前記成形用下型とに個別に設けたことを特徴とする請求項１〜４いずれか１項記載の誘導加熱式成形装置。
【発明の詳細な説明】
【技術分野】
【０００１】
本発明は、成形材料を誘導加熱して成形する誘導加熱式成形装置に関するものである。
【背景技術】
【０００２】
従来の技術における誘導加熱方式による光学素子の成形法について、図４を参照して説明する。
【０００３】
図４に示すように、光学素子を成形するための成形型を上下に分割して、上型２ａ，下型２ｂとして構成し、両型２ａ，２ｂを誘導加熱し、加熱された型２ａ，２ｂからの熱伝導により、型２ａ，２ｂ内に封入された光学素子材料を加熱し、型２ａ，２ｂの温度を直接制御することにより、高効率かつ高精度な成形を実現しようとするものである。
【０００４】
型材料には、誘導加熱により型を加熱しやすくするように、磁性体を用いている。誘導加熱をするためのコイル導線１１は、上型２ａと下型２ｂとに連続し、直接あるいは断熱材を介して巻回されることが多い。しかし、光学素子材料を成形する際には、光学素子材料の温度を５８０℃〜７００℃にする必要があり、加熱源となる磁性材料は、それ以上の温度にすることが必要である。
【０００５】
その際、コイル導線１１は高温にさらされることになり、コイル導線１１の耐熱性の高いものが必要となり、しかもコイル導線１１の電気特性は温度特性の影響を受けるため、誘導加熱によるパワーロスが大きかった。
【０００６】
特許文献１には、コイル導線と冷却水パイプとを交互に巻くことによる冷却効果により、前記課題を解決しようとする技術が記載されている。
【特許文献１】特開２００３−１００４２６号公報
【発明の開示】
【発明が解決しようとする課題】
【０００７】
しかしながら、特許文献１に記載された技術では、一定の冷却効果を期待することができるが、加熱源にコイル導線が直接触れることによる局所的なコイル導線の焼損を生じる可能性がある。また、誘導加熱によって所定のパワーを得る際に、コイル巻き数を多くすると、コイルを巻くエリアが大きくなってしまい、加熱効率の低下、あるいは光学素子などの小さい成型品における加熱の場合ではパワーロスが大きくなるなどの問題がある。
【０００８】
本発明は、前記従来の課題を解決し、誘導加熱用コイルへ伝わる熱を抑制するとともに、誘導加熱用コイル自体の発熱を抑制することにより、加熱効率を向上させることができる誘導加熱式成形装置を提供することを目的とする。
【課題を解決するための手段】
【０００９】
前記目的を達成するため、請求項１に記載の発明は、上下独立した成形型をそれぞれ誘導加熱し、型内に挿入された材料を溶融することで成形する誘導加熱式成形装置において、磁性材料を表面および／または内面に設けた成形用上型と、磁性材料を表面および／または内面に設けた成形用下型とを同時にあるいは独立して誘導加熱を行うため、前記成形用上型と前記成形用下型とに、それぞれ個別に誘導加熱用コイルを設け、さらに前記成形用上型および前記成形用下型と、前記誘導加熱用コイルの最内周との間に冷却用の流水路を設けたことを特徴とし、この構成によって、成形用の上型と下型とを同時あるいは独立して適宜加熱することができるため、上下両型および各誘導加熱用コイルを良好な加熱状態にすることができ、さらに誘導加熱された成形用上型および成形用下型から誘導加熱用コイルへの熱の伝達を抑制することができる。
【００１０】
請求項２に記載の発明は、請求項１記載の誘導加熱式成形装置において、流水路として耐熱性に優れた樹脂チューブを用い、該樹脂チューブを誘導加熱用コイルの最内周に密に巻いてなることを特徴とし、この構成によって、誘導加熱された成形用上型および成形用下型から誘導加熱用コイルへの熱の伝達を良好に抑制することができる。
【００１１】
請求項３に記載の発明は、請求項１記載の誘導加熱式成形装置において、誘導加熱用コイル間に冷却用の流水路を設けたことを特徴とし、この構成によって、誘導加熱させるために高電流を流すことによるコイル自体の発熱を抑制することができる。
【００１２】
請求項４に記載の発明は、請求項３記載の誘導加熱式成形装置において、誘導加熱用コイル間に設けられた流水路として耐熱性かつ磁気絶縁性に優れた樹脂チューブを用い、誘導加熱用コイルの最内周から樹脂チューブ、その次に誘導加熱用コイルの順に順次配設したことを特徴とし、この構成によって、コイル導線からの熱を抑制するとともに、電気的絶縁も確保することができる。
【００１３】
請求項５に記載の発明は、請求項１〜４いずれか１項記載の誘導加熱式成形装置において、誘導加熱用コイルを被覆するチューブをシームレスにし、流水路を成形用上型と成形用下型とに個別に設けたことを特徴とし、この構成によって、冷却水の漏れによる電気的短絡を回避することができる。
【発明の効果】
【００１４】
本発明によれば、被加熱体である成形用上型，成形用下型からの熱による誘導加熱用コイルのダメージを抑制できるほか、コイル自体に流れる電流により発生する熱を放熱させることができ、さらにコイル間の電気的絶縁を図ることができるため、安全性が向上するなどの効果を奏する。
【発明を実施するための最良の形態】
【００１５】
本発明の実施形態を図面を参照して説明する。
【００１６】
図１は本発明の実施形態の誘導加熱式成形装置の構成を説明するための断面図、図２は本実施形態におけるコイル配設の説明図、図３は本実施形態における被加熱体の概略構成図である。
【００１７】
図１〜図３において、１ａは上型用の誘導加熱用コイルである誘導コイル、１ｂは下型用の誘導加熱用コイルである誘導コイル、２ａは成形用上型、２ｂは成形用下型、３ａは上型温度測定手段、３ｂは下型温度測定手段、４ａは上型コイル内壁温度測定手段、４ｂは下型コイル内壁温度測定手段、５は上型コイル内部温度測定手段、６は光学素子成形部、７は流水路としての冷却水チューブ、８は誘導コイル１ａ，１ｂを構成するコイル導線、９は空気断熱層、１０ａは上型用被加熱体、１０ｂは下型用被加熱体である。
【００１８】
本実施形態の成形装置の構成として、成形材料を封入し、所望の形状に成形するために形状加工が施されている成形用上型２ａと成形用下型２ｂとから構成される。両型２ａ，２ｂの外側には、誘導加熱を生起させるため誘導コイル１ａ，１ｂのコイル導線８がそれぞれ独立して巻回されている。また、両型２ａ，２ｂの被加熱体１０ａ，１０ｂにおける表面および／または内面には、型内部を所望の温度、例えば成形対象の材料がガラス素材の場合には５８０〜６７０℃に加熱するため、誘導加熱しやすい磁性材料、例えばステンレス（ＳＵＳ４１０）あるいはコバルトを用いる。
【００１９】
被加熱体１０ａ，１０ｂは、型材料であるセラミックに固定され、また成形材料と接触する成形表面にはガラス状カーボンあるいは超硬合金を用い、ガラス材料が溶けても接着しにくい構成としている。
【００２０】
コイル導線８は、被加熱体１０ａ，１０ｂに一番近いコイル芯には断熱性の高いセラミックなどの材料を用い、天面および底面の鍔に相当する部分にも高断熱材料を使用する。さらに、コイル導線コイル芯の周りは、耐熱性の高いフッ素加工樹脂などの樹脂チューブを、隙間なくシームレス形態で螺旋状に巻いて被覆する。この際、コイル導線８と被加熱体１０ａ，１０ｂとの距離を短くするため、チューブ径は細い方が望ましい。
【００２１】
コイル導線８を被加熱体１０ａ，１０ｂに螺旋状に巻くが、この際、コイル導線８がばらけないように、一定トルクで撚りを持たせながら、所定の巻き数分、巻くようにするとよい。コイル導線８の最内周に冷却水チューブ７を巻き、引き続いてコイル導線８間に隙間なく螺旋状に巻く。
【００２２】
これらの作業を冷却水チューブ７，コイル導線８の順に繰り返して巻き、コイル導線８への通電時に所定の電気的負荷（インピーダンス）が得られるまで繰り返す。この際、冷却水チューブ８は切断することなく継ぎ目なしで巻く。
【００２３】
本実施形態では、以上の構成を採用することにより、被加熱体１０ａ，１０ｂである上型２ａ，下型２ｂからの熱によるコイル導線８のダメージを抑制することができるほか、コイル導線８自体に流れる電流により発生する熱を放熱させることができる。さらにはコイル導線８間の電気的絶縁が構築できるため、安全性が向上する。
【００２４】
しかし、誘導加熱に寄与する度合いは、被加熱体１０ａ，１０ｂに近いコイル導線８ほど大きく、被加熱体１０ａ，１０ｂから遠くなるほど無効電力が流れるため、加熱効率が悪くなる。
【００２５】
そこで、図１に示す上型コイル内部温度測定手段５のように、コイル内部の温度を測定する熱伝対などの測定手段を埋め込んでおき、発熱量がコイル導線８の耐熱温度以内であれば、コイル導線８間の冷却水チューブ７は省略してもよい。ただし、その際にはコイル導線８間に絶縁シートを巻く必要がある。
【００２６】
本実施形態では、成形用上型２ａおよび成形用下型２ｂを独立して個別にあるいは同時に加熱することができ、さらに放熱作用を向上させるために、成形用上型２ａおよび成形用下型２ｂのそれぞれに冷却水チューブ７を設けて冷却水の循環を行っているため、加熱状態を安定させることができ、加熱効率も向上する。
【００２７】
また、冷却水チューブ７の冷却水投入口に冷却水の循環を確認する流量センサを設けて、加熱時に常時監視する構成にすることにより、放熱作用を効率よくし、また万一、冷却水チューブ７内で沸騰点以上に達したとしても、内部に発生した気泡を冷却水チューブ７外へはき出すことにより、チューブ破裂などによる故障の発生を防ぐことができる。
【産業上の利用可能性】
【００２８】
本発明は、成形用上型，成形用下型を加熱する誘導加熱用コイルのダメージを抑制し、かつ加熱効率，加熱の安定性の向上が要求される誘導加熱式成形装置に適用され、特に光学素子などの小型の部品の樹脂成形を行う誘導加熱式成形装置に用いて有効である。
【図面の簡単な説明】
【００２９】
【図１】本発明の実施形態の誘導加熱式成形装置の構成を説明するための断面図
【図２】本実施形態におけるコイル配設の説明図
【図３】本実施形態における被加熱体の概略構成図
【図４】従来の誘導加熱成形装置におけるコイル配設の説明図
【符号の説明】
【００３０】
１ａ  上型用の誘導コイル
１ｂ  下型用の誘導コイル
２ａ  成形用上型
２ｂ  成形用下型
３ａ  上型温度測定手段
３ｂ  下型温度測定手段
４ａ  上型コイル内壁温度測定手段
４ｂ  下型コイル内壁温度測定手段
５  上型コイル内部温度測定手段
６  光学素子成形部
７  冷却水チューブ
８  コイル導線
９  空気断熱層
１０ａ  上型用被加熱体
１０ｂ  下型用被加熱体
【図１】
2006008479.tif 000003
【図２】
2006008479.tif 000004
【図３】
2006008479.tif 000005
【図４】
2006008479.tif 000006